(57)【要約】      （修正有）【課題】電気コネクタのピンを保護できるだけでなく、容易に組み合わされかつ確実に保持されることができる電気コネクタを提供する。【解決手段】電気コネクタは、少なくとも１つのピン３２が設けられた第１のハウジング３１と、該第１のハウジングに着脱可能に組み合わされる第２のハウジング１１と、を備えている。第２のハウジングには、少なくとも１つのピンの位置に対応するとともに少なくとも１つのピンを隙間嵌めで受け入れるために使用される少なくとも１つのピン受入孔１２と、ロック解除可能な掛け金であって、第１のハウジングと掛止めされる掛け金１４と、が設けられる。【選択図】図２
2018014318.tif 000002
【特許請求の範囲】
【請求項１】
少なくとも１つのピンが設けられた第１のハウジングと、
該第１のハウジングに着脱可能に組み合わされる第２のハウジングと、を備え、該第２のハウジングには、
前記少なくとも１つのピンの位置に対応するとともに前記少なくとも１つのピンを隙間嵌めで受け入れるために使用される少なくとも１つのピン受入孔と、
ロック解除可能な掛け金であって、前記第１のハウジングと掛止される前記掛け金と、が設けられている、電気コネクタ。
【請求項２】
前記第１のハウジングにはロック部品が設けられ、前記第２のハウジングには、前記ロック部品に対応するロック部品受入部が設けられ、該ロック部品受入部は、前記ロック部品を受け入れるために使用されるが該ロック部品とロックされない、請求項１に記載の電気コネクタ。
【請求項３】
各ロック部品受入部は、横方向の開口部を有する、請求項２に記載の電気コネクタ。
【請求項４】
前記ピン受入孔は、両端が大きくかつ軸方向において中間部が狭い形状を有する、請求項１に記載の電気コネクタ。
【請求項５】
前記掛け金は、２つ以上であり、前記第２のハウジングの両側にそれぞれ位置付けられるかまたは前記第２のハウジングの同じ側に位置付けられる、請求項１に記載の電気コネクタ。
【請求項６】
前記掛け金は、該掛け金の一方の端部に位置付けられかつ前記第１のハウジングの係合部と掛止めされる掛止部を含む、請求項１〜５のいずれか１項に記載の電気コネクタ。
【請求項７】
前記係合部は、前記第１のハウジングのエッジ部であるかまたは前記第１のハウジング上に位置付けられた凸部もしくは凹部である、請求項６に記載の電気コネクタ。
【請求項８】
前記掛け金は、前記掛止部と反対側の前記掛け金の他方の端部に押圧リリース部を含み、前記掛止部は、前記押圧リリース部が押されると前記第１のハウジングの前記係合部から外される、請求項６に記載の電気コネクタ。
【請求項９】
前記掛け金は、前記掛止部と前記押圧リリース部との間に位置付けられた中間部を含み、該中間部は、前記第２のハウジングに一体的に接続される、請求項８に記載の電気コネクタ。
【発明の詳細な説明】
【技術分野】
【０００１】
本開示は、電気コネクタに関する。
【背景技術】
【０００２】
通常の電気コネクタは、一般的に複数のピンを備えているが、多数のピンであるので、製造、輸送および組み合わせの工程において、ピンが外に露出しかつ保護されなければ、衝突によって変形または破損するおそれがあり、そのことは接続の効果に影響を与えるとともにコネクタの耐用寿命を短くすることになる。したがって、電気コネクタは、ピンに保護構造を提供する必要がある。
【０００３】
例えば、中国特許第１０３４５７０７５Ａ号においては、ある電気コネクタが提供されている。図１を参照すると、この特許は、複数のピン３０２が設けられたコネクタ３００を開示し、コネクタ３００は回路基板４００上に装着されている。コネクタ３００はさらに、ピン３０２を保護するためのコネクタ保護カバー１００を含む。コネクタ保護カバー１００は、ピン３０２の一部の挿入のための４個の位置決め孔１２２およびピン３０２の他の部分を受け入れる受入溝穴１２４が設けられた矩形の挿入ブロック１２０を含む。この技術的解決策はピン３０２の保護を実現できるけれども、コネクタ保護カバー１００がコネクタ３００上で保持され得るように、ピン３０２および位置決め孔１２２の間に締まり嵌め合いが使用されている。したがって、コネクタ保護カバー１００がコネクタ３００上に装着される際に、ピン３０２の一部が位置決め孔１２２によって圧搾されて、それに応じて変形のリスクが生じる。
【０００４】
したがって、従来技術の上記の問題を回避することができる電気コネクタを開発することが必要である。
【発明の概要】
【課題を解決するための手段】
【０００５】
本開示の目的は、電気コネクタのピンを保護できるだけでなく、容易に組み合わされかつ確実に保持されることができる電気コネクタを提供することである。
【０００６】
本明細書において反映されかつ広く記載されているように、本開示のこれらおよび他の利点を達成するため、および本開示の目的に従って、本開示は電気コネクタを提供し、該電気コネクタは、少なくとも１つのピンを含む第１のハウジングと、該第１のハウジングに着脱可能に組み合わされる第２のハウジングと、を備えている。該第２のハウジングには、少なくとも１つのピンの位置に対応するとともに少なくとも１つのピンを隙間嵌めで受け入れるために使用される少なくとも１つのピン受入孔と、ロック解除可能な掛け金であって、第１のハウジングと掛止めされる掛け金と、が設けられている。
【０００７】
ある実施形態では、第１のハウジングにはロック部品が設けられ、第２のハウジングには、該ロック部品に対応するロック部品受入部が設けられ、該ロック部品受入部は、ロック部品を受け入れるために使用されるがロック部品とロックされない。
【０００８】
ある実施形態では、各ロック部品受入部は、横方向の開口部を含んでもよい。
【０００９】
ある実施形態では、ピン受入孔は、両端が大きくかつ軸方向において中間部が狭い形状を有してもよい。
【００１０】
ある実施形態では、掛け金は、第２のハウジングの両側にそれぞれ位置付けられるかまたは第２のハウジングの同じ側に位置付けられた２つ以上の個数として提供されてもよい。
【００１１】
ある実施形態では、掛け金は、該掛け金の端部に位置付けられるとともに第１のハウジングの係合部に掛止めされる掛止部を含んでもよい。
【００１２】
ある実施形態では、係合部は、第１のハウジングのエッジ部または第１のハウジング上に位置付けられた凸部もしくは凹部であってもよい。
【００１３】
ある実施形態では、掛け金は、掛止部と反対側の掛け金の他方の端部における押圧リリース部を含んでもよく、掛止部は、押圧リリース部が押されると第１のハウジングの係合部から外される。
【００１４】
ある実施形態では、掛け金は、掛止部および押圧リリース部の間に位置付けられた中間部を含んでもよく、該中間部は、第２のハウジングに一体的に接続される。
【００１５】
本開示の有益な効果は、本開示による電気コネクタが、中に設けられたピンおよびロック部品を、製造および輸送の過程において衝突されかつ変形されることから保護することができるだけでなく、電気コネクタの第２のハウジングがその上に掛け金を含んでおり、該掛け金が第１のハウジングおよび第２のハウジング間の組み合わせおよび取り外しの操作を容易にし、かつ、その掛け金がきつ過ぎる条件または緩過ぎる条件が生じないように掛止め状態を安定にするので、取り外した後、そのことは第２のハウジング上の掛け金を破損することがなく、その結果、第２のハウジングを繰り返し使用できることにある。
【００１６】
本開示の上記および他の目的、特徴、態様および利点は、添付図面と組み合わせた本開示の下記の詳細な説明によってさらに明確になる。
【図面の簡単な説明】
【００１７】
本開示に含まれる図面は本開示に対するさらなる理解を実現し、かつ明細書に組み込まれて明細書の一部を構成し、その図面は本開示の実施形態を示し、かつ下記の詳細な説明と併せて本開示の概念を表す。
【００１８】
【図１】従来の電気コネクタの概略図である。
【図２】本開示による組み合わされる前の電気コネクタの斜視図である。
【図３】本開示による組み合わされる前の電気コネクタの別の角度からの斜視図である。
【図４】本開示による組み合わされた後の電気コネクタの斜視図である。
【図５Ａ】本開示による組み合わされた後の電気コネクタの上面図である。
【図５Ｂ】図５ＡのＺ−Ｚの線に沿った断面図である。
【図５Ｃ】図５ＡのＹ−Ｙ線に沿った断面図である。
【符号の説明】
【００１９】
１１    第２のハウジング
１２    ピン受入孔
１３    ロック部品受入部
１４    掛け金
１４ａ    掛止部
１４ｂ    押圧リリース部
１４ｃ    中間部
３１    第１のハウジング
３２    ピン
３３    ロック部品
３４    係合部
１００    コネクタ保護カバー
１２０    挿入ブロック
１２２    位置決め孔
１２４    受入溝穴
３００    コネクタ
３０２    ピン
４００    回路基板
【発明を実施するための形態】
【００２０】
本開示について添付図面と組み合わせて詳細に説明する。
【００２１】
本開示による電気コネクタは、少なくとも１つのピン３２が設けられた第１のハウジング３１と、第１のハウジング３１に着脱可能に組み合わされる第２のハウジング１１とを備えている。また、第２のハウジング１１は、衝突されることかつ破損されることから各ピン３２を保護するために、少なくとも１つのピン３２の位置に対応するとともに少なくとも１つのピン３２を隙間嵌めで受け入れるために使用されるピン受入孔１２が設けられる。図５Ａ、図５Ｂおよび図５Ｃに最良に示されるように、各ピン受入孔１２の半径方向のサイズは、対応するピン３２の半径方向のサイズよりも大きく、このため第２のハウジング１１が第１のハウジング３１に組み合わされた後、ピン受入孔１２とピン３２との間の状態は隙間嵌めになっている。すなわち、第２のハウジング１１が第１のハウジング３１に組み合わされた場合、ピン受入孔１２およびピン３２の間のサイズの差異のために、ピン受入孔１２およびピン３２の間の嵌め合いが極めて緩やかであり、このことで圧搾によって各ピン３２が変形されないことを保証する。しかしながら、他の実施形態では、各ピン３２および各ピン受入孔１２は、図に示された形状、構造およびサイズに限定されず、例えばそれらは円筒の形状に限定されず、ピン受入孔１２が隙間嵌めの構造でピン３２を受け入れることができる限り、それらは実際の要求に応じて設定されることができ、すべてのそれらの実施形態は本開示の保護範囲に含まれることが理解されるはずである。
【００２２】
図２〜４に示されるように、ピン３２の数は６個であり、ピン受入孔１２の数は７個であり、各ピン３２は１つのピン受入孔１２に対応する。しかしながら、他の実施形態では、ピン３２の数は実際の要求に応じて設定されることができるのに対して、ピン受入孔１２の数はピン３２の数と同じでもよくもしくはピン３２の数より多くてもよいし、または、ピン受入孔１２はピン３２のすべてもしくは一部を受け入れる一体型の穴として構成され得ることは理解されるはずである。これらの実施形態は、本開示の保護範囲に含まれる。
【００２３】
第２のハウジング１１は、ロック解除できる掛け金１４がさらに設けられ、第２のハウジング１１が第１のハウジング３１に組み合わされた後に偶発的に外れることなく、第１のハウジング３１および第２のハウジング１１が互いに確実に保持されることを保証するように、掛け金１４は第１のハウジング３１と掛止めされることができる。
【００２４】
図に示されている特定の実施形態では、掛け金１４は、掛止部１４ａ、押圧リリース部１４ｂおよび中間部１４ｃを含む。掛止部１４ａは、鉤の形状でもよく、掛け金１４の一方の端部に位置付けられて第１のハウジング３１の係合部３４をその上で掛け金する。押圧リリース部１４ｂは、掛止部１４ａと反対側の掛け金１４の他方の端部に位置付けられ、中間部１４ｃは、掛止部１４ａおよび押圧リリース部１４ｂの間に位置付けられている。押圧リリース部１４ｂが内側に押されると、中間部１４ｃが枢軸点として動作し、梃の原理によって、掛止部１４ａが外側に移動するので第１のハウジング３１の係合部３４から外される。
【００２５】
実施形態では、係合部３４は第１のハウジング３１のエッジ部である。しかしながら、他の実施形態では、第１のハウジング３１は、掛止部１４ａに係合する係合部３４として凸部または凹部が設けられ得ることは理解されるはずである。
【００２６】
図２および図４に示されるように、掛け金１４および第２のハウジング１１は一体的に構成され、すなわち、掛け金１４の中間部１４ｃは第２のハウジング１１に一体的に接続される。しかしながら、他の実施形態では、掛け金１４が分離した部品でも可能であることは理解されるはずである。
【００２７】
なお、図２に示されている実施形態では、掛け金１４は１つの個数だけで提供され、第２のハウジング１１の１つの側に位置付けられている。しかしながら、掛け金１４は、第２のハウジング１１の両側にそれぞれにある、または、第２のハウジング１１の同じ側に並んで位置付けられた２つ以上の個数として提供されることができ、このためより確実に第２のハウジング１１および第１のハウジング３１をともに保持することは理解されるはずである。
【００２８】
実施形態では、第１のハウジング３１は、ロック部品３３がさらに設けられ、ロック部品３３は、電気コネクタが別の整合コネクタまたは他の機構に接続される場合には、電気コネクタおよび別の整合コネクタまたは他の機構をともにロックするために使用される。この場合に、第２のハウジング１１は、第１のハウジング３１のロック部品３３に対応するロック部品受入部１３がさらに設けられ、ロック部品受入部１３はロック部品３３を受け入れるために使用されるが、ロック部品３３とロックされない。ロック部品受入部１３はロック部品３３とロックされないので、第２のハウジング１１は第１のハウジング３１に容易に組み合わされかつ第１のハウジング３１から容易に外されることができ、ロック部品３３はこの工程において破損されない。
【００２９】
さらに、図２〜４に示されるように、ロック部品受入部１３は、溝のような構造を形成するように横方向の開口部を含む。しかしながら、他の実施形態では、ロック部品受入部１３は横方向の開口部を含む必要はなく、貫通穴の形でもよいことは理解されるはずである。
【００３０】
図５Ｂおよび図５Ｃに最良に示されるように、各ピン３２が１つのピン受入孔１２に対応する場合には、各ピン受入孔１２は、両端が大きくかつ軸方向において中間部が狭い形状を有し、このため第２のハウジング１１が第１のハウジング３１に対して組み合わされる場合に、ピン受入孔１２がピン３２をより良好に案内してピン受入孔１２の中に入れることができる。本開示はこれに限定されず、ピン受入孔１２が標準的な円筒の孔または他の適切な形状であってもよい。
【００３１】
上記の実施形態および利点は単なる例示に過ぎず、本開示を制限するように判断することはできない。この中の記載は、実施例の説明を意図したものであり、特許請求の範囲を制限するものではない。様々な代替、変更および修正は、当業者に明らかである。この中に記載された例示の実施形態の特徴、構造、方法、および他の特性が、様々なやり方で組み合わされて、他のおよび／または代替の例示の実施形態を得ることができる。
【００３２】
本開示の特徴は、本開示の趣旨から逸脱することなく多くの形において実施されることができ、上記の実施形態は上記に記載されたいかなる細部にも限定されず、特に断りのない限り、添付された特許請求の範囲によって画定される範囲内にあると広く解釈され、したがって、特許請求の範囲の範囲および境界内に包摂される等価な解決策のすべての修正および変更は、添付された特許請求の範囲によってカバーされなければならないということが理解されるはずである。
【図１】
2018014318.tif 000003
【図２】
2018014318.tif 000004
【図３】
2018014318.tif 000005
【図４】
2018014318.tif 000006
【図５Ａ】
2018014318.tif 000007
【図５Ｂ】
2018014318.tif 000008
【図５Ｃ】
2018014318.tif 000009